(57)【要約】【課題】有効漏洩電流の閾値を超える頻度が多くなった場合に絶縁劣化ありと判定して警報を出すようにする。【解決手段】電源ラインの接地線から零相変流器を介して検出される漏洩電流から有効漏洩電流を算出し閾値と対比して電源ラインの絶縁状態を監視するにあたって、メモリに格納すべき有効漏洩電流の母集団数Ｍと、有効漏洩電流に対する閾値Ａ１と、母集団数Ｍに対する閾値Ａ１を超える有効漏洩電流の閾値超個数の上限割合Ｂとをあらかじめ設定したうえで、所定の時間間隔で有効漏洩電流を算出して順次メモリに格納し、メモリに母集団数Ｍの有効漏洩電流が格納されたら、閾値Ａ１を越える有効漏洩電流の閾値超個数Ｌを計数し、母集団数Ｍに対する閾値超個数Ｌの割合Ｃを求め、この割合Ｃが上限割合Ｂよりも大きいの場合に、所定の報知手段を動作させる警報信号を出力する。【選択図】図３
2010048746.tif 000002
【特許請求の範囲】
【請求項１】
電源ラインの接地線から零相変流器を介して漏洩電流を検出する漏洩電流検出手段と、上記漏洩電流検出手段にて検出された漏洩電流から対地抵抗による有効漏洩電流を算出してメモリに格納したうえで、上記有効漏洩電流と所定の閾値とを対比して上記電源ラインの絶縁状態を監視する制御手段とを含む絶縁監視装置において、
上記制御手段には、上記メモリに格納すべき上記有効漏洩電流の母集団数Ｍと、上記有効漏洩電流に対する所定の閾値Ａ１と、上記母集団数Ｍに対する上記閾値Ａ１を超える上記有効漏洩電流の閾値超個数の上限割合Ｂとがあらかじめ設定され、
上記制御手段は、測定開始から所定の時間間隔で上記有効漏洩電流を算出して順次上記メモリに格納し、上記メモリに上記母集団数Ｍの上記有効漏洩電流が格納されたら、上記閾値Ａ１を越える上記有効漏洩電流の閾値超個数Ｌを計数して、上記母集団数Ｍに対する上記閾値超個数Ｌの割合Ｃ（＝Ｌ／Ｍ×１００）を求め、上記割合Ｃが上記上限割合Ｂよりも大きい（Ｃ＞Ｂ）の場合に、所定の報知手段を動作させる警報信号を出力することを特徴とする絶縁監視装置。
【請求項２】
電源ラインの接地線から零相変流器を介して漏洩電流を検出する漏洩電流検出手段と、上記漏洩電流検出手段にて検出された漏洩電流から対地抵抗による有効漏洩電流を算出してメモリに格納したうえで、上記有効漏洩電流と所定の閾値とを対比して上記電源ラインの絶縁状態を監視する制御手段とを含む絶縁監視装置において、
上記制御手段には、上記メモリに格納すべき上記有効漏洩電流の母集団数Ｍと、所定の相対累積度数Ｄにおける所定の閾値Ａ２とがあらかじめ設定され、
上記制御手段は、測定開始から所定の時間間隔で上記有効漏洩電流を算出して順次上記メモリに格納し、上記メモリに上記母集団数Ｍの上記有効漏洩電流が格納されたら、上記母集団数Ｍの上記有効漏洩電流について度数分布データおよび相対累積度数データを作成し、上記度数分布データ上で上記所定の相対累積度数Ｄに対応する有効漏洩電流の値Ｘを取得し、上記有効漏洩電流の値Ｘが上記閾値Ａ２よりも大きい（Ｘ＞Ａ２）の場合に、所定の報知手段を動作させる警報信号を出力することを特徴とする絶縁監視装置。
【請求項３】
Ｘ−Ｙ表示座標を有する表示手段をさらに備え、上記制御手段は、上記Ｘ−Ｙ表示座標の一方の軸を上記有効漏洩電流の目盛軸とし、他方の軸を発生頻度の頻度軸として、上記表示手段に、上記メモリに格納された上記母集団数Ｍの上記有効漏洩電流のヒストグラムを表示することを特徴とする請求項１または２に記載の絶縁監視装置。
【請求項４】
上記表示手段には、上記発生頻度の相対累積度数が折れ線グラフとして併せて表示されることを特徴とする請求項３に記載の絶縁監視装置。
【発明の詳細な説明】
【技術分野】
【０００１】
本発明は、単相３線または三相３線などの電源ラインの絶縁状態を漏洩電流に含まれている対地抵抗による有効漏洩電流に基づいて監視する絶縁監視装置に関するものである。
【背景技術】
【０００２】
絶縁監視装置では、所定相の電路に接続された接地線から零相変流器を介して漏洩電流Ｉｇを検出するが、その漏洩電流には、対地抵抗による漏洩電流成分Ｉｇｒと対地静電容量による漏洩電流成分Ｉｇｃとが含まれている。
【０００３】
上記漏洩電流成分のうち、対地静電容量による漏洩電流成分Ｉｇｃは無効成分であるため、電源ラインの絶縁状態を監視するにあたっては、漏洩電流Ｉｇから対地抵抗（電路−対地間の絶縁抵抗）による漏洩電流成分Ｉｇｒを求める必要がある。この漏洩電流成分Ｉｇｒが有効漏洩電流と呼ばれているものである。
【０００４】
漏洩電流Ｉｇから有効漏洩電流を求める方式としては、大別して、低周波注入トランスを用いる注入式（Ｉｇｒ検出方式）と、電路電圧を測定し、その電圧をもとに演算により漏洩電流から有効漏洩電流を算出する簡易型とがある。
【０００５】
注入式はＩｇｒ検出方式，簡易型はＩｏｒ検出方式とも呼ばれることから、通常、注入式により検出された有効漏洩電流をＩｇｒ，簡易型により算出された有効漏洩電流をＩｏｒとしている。また、簡易型を発展させた絶縁監視装置には、例えば特許文献１，２等がある。
【０００６】
【特許文献１】特開２００４−１２１４７号公報
【特許文献２】特開２００６−２３４４０２号公報
【発明の開示】
【発明が解決しようとする課題】
【０００７】
いずれの方式においても、絶縁監視装置には、有効漏洩電流（Ｉｇｒ，Ｉｏｒ）に対して閾値が設定され、有効漏洩電流が閾値を超えた場合に例えばブザーや表示ランプ等にて警報を出すようにしている。閾値は、工場等の場合には５０ｍＡ，集合住宅等では１ｍＡに設定されるのが一般的である。
【０００８】
しかしながら、従来では、有効漏洩電流が設定されている閾値をわずかでも超えると警報が出されるため、その都度、その警報が電源ラインの絶縁劣化によるものなのか、それ以外の突発的な原因によるものなのかを調べる必要がある、という問題があった。
【０００９】
本発明は、一般的に電源ラインの絶縁劣化は突発的にではなく除々に進行することに鑑みなされたもので、その課題は、有効漏洩電流の閾値を超える頻度が多くなった場合に絶縁劣化ありと判定して警報を出すようにした絶縁監視装置を提供することにある。
【課題を解決するための手段】
【００１０】
上記課題を解決するため、本発明は、請求項１に記載されているように、電源ラインの接地線から零相変流器を介して漏洩電流を検出する漏洩電流検出手段と、上記漏洩電流検出手段にて検出された漏洩電流から対地抵抗による有効漏洩電流を算出してメモリに格納したうえで、上記有効漏洩電流と所定の閾値とを対比して上記電源ラインの絶縁状態を監視する制御手段とを含む絶縁監視装置において、上記制御手段には、上記メモリに格納すべき上記有効漏洩電流の母集団数Ｍと、上記有効漏洩電流に対する所定の閾値Ａ１と、上記母集団数Ｍに対する上記閾値Ａ１を超える上記有効漏洩電流の閾値超個数の上限割合Ｂとがあらかじめ設定され、上記制御手段は、測定開始から所定の時間間隔で上記有効漏洩電流を算出して順次上記メモリに格納し、上記メモリに上記母集団数Ｍの上記有効漏洩電流が格納されたら、上記閾値Ａ１を越える上記有効漏洩電流の閾値超個数Ｌを計数して、上記母集団数Ｍに対する上記閾値超個数Ｌの割合Ｃ（＝Ｌ／Ｍ×１００）を求め、上記割合Ｃが上記上限割合Ｂよりも大きい（Ｃ＞Ｂ）の場合に、所定の報知手段を動作させる警報信号を出力することを特徴としている。
【００１１】
また、本発明は、請求項２に記載されているように、電源ラインの接地線から零相変流器を介して漏洩電流を検出する漏洩電流検出手段と、上記漏洩電流検出手段にて検出された漏洩電流から対地抵抗による有効漏洩電流を算出してメモリに格納したうえで、上記有効漏洩電流と所定の閾値とを対比して上記電源ラインの絶縁状態を監視する制御手段とを含む絶縁監視装置において、上記制御手段には、上記メモリに格納すべき上記有効漏洩電流の母集団数Ｍと、所定の相対累積度数Ｄにおける所定の閾値Ａ２とがあらかじめ設定され、上記制御手段は、測定開始から所定の時間間隔で上記有効漏洩電流を算出して順次上記メモリに格納し、上記メモリに上記母集団数Ｍの上記有効漏洩電流が格納されたら、上記母集団数Ｍの上記有効漏洩電流について度数分布データおよび相対累積度数データを作成し、上記度数分布データ上で上記所定の相対累積度数Ｄに対応する有効漏洩電流の値Ｘを取得し、上記有効漏洩電流の値Ｘが上記閾値Ａ２よりも大きい（Ｘ＞Ａ２）の場合に、所定の報知手段を動作させる警報信号を出力することを特徴としている。
【００１２】
本発明の好ましい態様として、請求項３に記載されているように、Ｘ−Ｙ表示座標を有する表示手段をさらに備え、上記制御手段は、上記Ｘ−Ｙ表示座標の一方の軸を上記有効漏洩電流の目盛軸とし、他方の軸を発生頻度の頻度軸として、上記表示手段に、上記メモリに格納された上記母集団数Ｍの上記有効漏洩電流のヒストグラムを表示する。
【００１３】
また、請求項４に記載されているように、上記表示手段には、上記発生頻度の相対累積度数が折れ線グラフとして併せて表示される。
【発明の効果】
【００１４】
請求項１に記載の発明によれば、メモリに格納された母集団数Ｍ個の有効漏洩電流の中から、あらかじめ設定されている閾値Ａ１を超える有効漏洩電流の数を計数し、その閾値超個数をＬとして、母集団数Ｍに対する閾値超個数Ｌの割合Ｃ（＝Ｌ／Ｍ×１００）を求め、その割合Ｃがあらかじめ設定されている上限割合Ｂよりも大きい（Ｃ＞Ｂ）の場合に警報信号を出力するようにしたことにより、閾値Ａ１の値にもよるが、閾値Ａ１を超える頻度が少ない場合には、絶縁劣化以外の原因による突発的な理由によるものとして無視し、閾値Ａ１を超える頻度が大きい場合にのみ、絶縁劣化によるものと判断し警報が出されることになる。
【００１５】
また、請求項２に記載の発明によれば、メモリに母集団数Ｍ個の有効漏洩電流が格納されたら、母集団数Ｍ個の有効漏洩電流について度数分布データおよび相対累積度数データを作成し、その度数分布データ上であらかじめ設定されている所定の相対累積度数Ｄに対応する有効漏洩電流の値Ｘを取得し、その有効漏洩電流の値Ｘがあらかじめ設定されている閾値Ａ２よりも大きい（Ｘ＞Ａ２）の場合に警報信号を出力するようにしたことにより、あらかじめ設定される相対累積度数Ｄおよび閾値Ａ２の値にもよるが、度数分布データ上で取得される有効漏洩電流の値Ｘが閾値Ａ２よりも小さい場合には、相対累積度数の計数に含まれるのの中に閾値Ａ２を超えるものがないとして無視し、閾値Ａ２を超える場合にのみ、絶縁劣化による有効漏洩電流があるとして警報が出されることになる。
【００１６】
請求項３，４に記載の発明によれば、ディスプレイ等の表示手段に有効漏洩電流のヒストグラムと、発生頻度の相対累積度数が折れ線グラフとして併せて表示されるため、有効漏洩電流の分布および発生頻度を視覚的に容易に把握することができる。
【発明を実施するための最良の形態】
【００１７】
次に、図１ないし図５により、本発明の実施形態について説明する。図１は本発明に係る絶縁監視装置の構成例を示す模式図、図２は表示部における表示状態の一例を示す模式図、図３は制御手段の第１動作モードを説明するためのフローチャート、図４は制御手段の第２動作モードを説明するためのフローチャート、図５は表示部における表示状態の他の例を示す模式図である。
【００１８】
図１に示すように、この実施形態に係る絶縁監視装置では、測定対象を三相３線（Δ結線）の電路としており、漏洩電流の測定は注入トランスが不要な簡易型（Ｉｏｒ方式）を採用している。そのため、この絶縁監視装置は、電圧入力部１１と漏洩電流入力部１２とを備えている。漏洩電流入力部１２は、請求項１，２における漏洩電流検出手段に相当している。
【００１９】
電圧入力部１１には、Ｂ種接地線である接地電路ｂと例えば一方の電路ａとの間の電圧Ｖａｂが、漏洩電流の有効分を抽出するための基準電圧として入力される。接地電路ｂと他方の電路ｃとの間の電圧Ｖｃｂは直接的に測定してもよいが、三相３線の交流のベクトルの特性から電圧Ｖａｂより６０゜進んだ波形と考えてもよい。
【００２０】
漏洩電流入力部１２には、零相変流器ＺＣＴを介してＢ種接地線に流れる漏洩電流Ｉｇが入力される。漏洩電流Ｉｇには、電路ａ，ｃの対地抵抗Ｒａ，Ｒｃによる漏洩電流Ｉｏｒａ，Ｉｏｒｃと、電路ａ，ｃの対地静電容量Ｃａ，Ｃｃによる漏洩電流Ｉｏｃａ，Ｉｏｃｃとが含まれている。ＩｏｒａはＶａｂと同相，ＩｏｒｃはＶｃｂと同相で、Ｉｏｃａ，Ｉｏｃｃが等しいとすると、その合成ベクトルＩｏｃはＶｃａと同相になる。
【００２１】
電圧Ｖａｂと漏洩電流Ｉｇは、それぞれ電圧入力部１１，漏洩電流入力部１２で適度な信号レベルに調整されたうえで、Ａ／Ｄ変換器１１ａ，１２ａにてデジタルデータに変換されてＣＰＵ（制御手段）１３に入力され、ＣＰＵ１４にてメモリ１４に格納される。
【００２２】
ＣＰＵ１４は、電圧Ｖａｂと漏洩電流Ｉｇとをメモリ１４に格納したのち、一例として、次の演算を行って漏洩電流Ｉｇに含まれている有効漏洩電流Ｉｏｒを算出する。
【００２３】
まず、基準波形と電圧Ｖａｂとの位相差θ１，基準波形と漏洩電流Ｉｇとの位相差θ２を求め、これら位相差θ１，θ２からそれぞれ電圧Ｖａｂの基本波成分Ｖａｂ（１）と漏洩電流Ｉｇの基本波成分Ｉｇ（１）を求める。
【００２４】
次に、θ１とθ２との位相差θを求めたうえで、漏洩電流Ｉｇの基本波成分Ｉｇ（１）と位相差θとから有効漏洩電流Ｉｏｒを算出し、その値をメモリ１４に格納する。ここで、絶縁不良は電路ａ，ｃで同時に起こることはまれであるため、有効漏洩電流ＩｏｒはＩｏｒａもしくはＩｏｒｃのいずれかである。
【００２５】
メモリ１４には、ＲＯＭ（Ｒｅａｄ  Ｏｎｌｙ  Ｍｅｍｏｒｙ）領域と、ＲＡＭ（Ｒａｍｄｏｍ  Ａｃｃｅｓｓ  Ｍｅｍｏｒｙ）領域とが含まれており、ＲＯＭ領域には、ＣＰＵ１３が行う処理手順があらかじめ記憶されている。ＲＡＭ領域には、電圧Ｖａｂ，漏洩電流Ｉｇや算出された有効漏洩電流Ｉｏｒ等が書き込まれる。
【００２６】
また、この絶縁監視装置は、表示部１５と警報信号出力部１６とを備えている。表示部１５には、プリンタ等であってもよいが、好ましくは液晶表示パネル等からなるディスプレイが用いられる。警報信号出力部１６は、ＣＰＵ１３からの指令を受けて図示しない例えばブザーや表示ランプに動作信号を与える。
【００２７】
本発明においても、電源ラインの絶縁状態を監視するため、有効漏洩電流に対する閾値が設定されるが、例えば有効漏洩電流の突発的もしくは散発的な閾値超えによる誤警報を防止するため、ＣＰＵ１３は次のように動作する。
【００２８】
まず、図３のフローチャートにより、ＣＰＵ１３の第１動作モードの一例について説明する。なお、この実施形態における絶縁監視装置は簡易型であるため、有効漏洩電流をＩｏｒと表記しているが、本発明において、有効漏洩電流は注入式（Ｉｇｒ検出方式）によって検出されてもよく、その場合にはＩｏｒをＩｇｒに読み替えられたい（図４で説明する第２動作モードについても同じ）。
【００２９】
図３のフローチャートを参照して、まず、ステップＳＴ１ａで各種の設定（初期設定）が行われる。本発明では、有効漏洩電流Ｉｏｒの度数分布（ヒストグラム）を作成するため、メモリ１４に取り込まれるべき母集団のデータ数Ｍが設定される。また、測定インターバル（有効漏洩電流Ｉｏｒのサンプリング時間間隔）Ｔ［ｓ]，有効漏洩電流Ｉｏｒに対する閾値Ａ１［ｍＡ］（この例では、Ａ１＝１ｍＡ），母集団数Ｍに対する閾値Ａ１を超える有効漏洩電流Ｉｏｒの閾値超個数の上限割合Ｂ［％］が設定され、また、データの取り込み度数の変数ＮがＮ＝０にクリアされる。
【００３０】
その後、ステップＳＴ２ａ〜ＳＴ５ａを循環するルーチンが実行され、測定インターバルごとに有効漏洩電流Ｉｏｒが算出され、その値がメモリ１４に保存され、変数ＮがＮ＝Ｎ＋１に順次インクリメントされる。
【００３１】
そして、ステップＳＴ５ａで、Ｎ＝Ｍとなり、メモリ１４への母集団数Ｍ個のデータ（有効漏洩電流Ｉｏｒ）の保存が完了すると、ステップＳＴ６ａで、度数分布データおよび相対累積度数データを作成する。
【００３２】
次に、ステップＳＴ７ａで、Ｍ個の全有効漏洩電流Ｉｏｒの中から閾値Ａ１（この例では１ｍＡ）を超える有効漏洩電流Ｉｏｒの個数（閾値超個数）Ｌを計数し、母集団数Ｍに対する閾値超個数Ｌの割合Ｃ（＝Ｌ／Ｍ）［％］を求める。
【００３３】
次に、ステップＳＴ８ａで、表示部１５に例えば図２に示すようなヒストグラムおよび相対累積度数を表示する。
【００３４】
すなわち、表示部１５にＸ−Ｙ表示座標を設定し、この例では、Ｘ軸（横軸）を有効漏洩電流Ｉｏｒ値［ｍＡ］の０．０１ｍＡステップの目盛とし、左Ｙ軸（左縦軸）を５００個刻みの度数目盛として各Ｉｏｒ値の度数を棒グラフで表示するとともに、右Ｙ軸（右縦軸）を相対累積度数目盛［％］として相対累積度数を折れ線グラフで表示する。
【００３５】
なお、相対累積度数は、各有効漏洩電流Ｉｏｒ値の度数をデータ数Ｍに対する百分率とし、その百分率をＩｏｒ値の小さい方から累積したものである。
【００３６】
そして、ステップＳＴ９ａで、度数の変数Ｎをクリア（Ｎ＝０）したのち、ステップＳＴ１０ａで、閾値超個数Ｌの割合Ｃ［％］と、閾値超割合判定レベルであるステップＳＴ１ａであらかじめ設定された上限割合Ｂ［％］とを対比する。
【００３７】
その結果が、Ｃ＞Ｂの場合には、ステップＳＴ１１ａで、警報信号出力部１６に警報指示を与え、図示しない例えばブザーや表示ランプを動作させる。これに対して、Ｃ≦Ｂの場合には、ステップＳＴ２ａに戻り、上記したルーチンを繰り返す。
【００３８】
この第１動作モードによれば、有効漏洩電流Ｉｏｒが閾値Ａ１を超えるものがあったとしても、その出現度数が上記上限割合Ｂ（閾値超割合判定レベル）を超えないかぎり警報が出されない。また、表示部１５にヒストグラムおよび相対累積度数が表示されるため、有効漏洩電流の分布および発生頻度を視覚的に容易に把握することができる。
【００３９】
なお、図３のフローチャートにおいて、例えばステップＳＴ７ａとステップＳＴ８ａとを入れ替えてもよい。また、ステップＳＴ９ａをステップＳＴ５ａの直後に実行するようにしてもよい。
【００４０】
次に、図４のフローチャートにより、ＣＰＵ１３の第２動作モードの一例について説明する。この第２動作モードでは、相対累積度数に基づいて電源ラインの絶縁状態を監視する。
【００４１】
まず、ステップＳＴ１ｂで、上記第１動作モードにおけるステップＳＴ１ａと同じく、初期設定として、有効漏洩電流Ｉｏｒの度数分布（ヒストグラム）を作成するため、メモリ１４に取り込まれるべき母集団のデータ数Ｍと、測定インターバル（有効漏洩電流Ｉｏｒのサンプリング時間間隔）Ｔ［ｓ]とが設定されるが、このステップＳＴ１ｂでは、判定基準としての相対累積度数Ｄ［％]（この例では、Ｄ＝９５％）と、その相対累積度数Ｄでの閾値Ａ２［ｍＡ］（この例においても、Ａ２＝１ｍＡ）が設定され、また、データの取り込み度数の変数ＮがＮ＝０にクリアされる。
【００４２】
その後、上記第１動作モードにおけるステップＳＴ２ａ〜ＳＴ５ａと同じく、ステップＳＴ２ｂ〜ＳＴ５ｂを循環するルーチンが実行され、測定インターバルごとに有効漏洩電流Ｉｏｒが算出され、その値がメモリ１４に保存され、変数ＮがＮ＝Ｎ＋１に順次インクリメントされる。
【００４３】
そして、ステップＳＴ５ｂで、Ｎ＝Ｍとなり、メモリ１４への母集団数Ｍ個のデータ（有効漏洩電流Ｉｏｒ）の保存が完了すると、ステップＳＴ６ｂで、度数分布データおよび相対累積度数データを作成する。
【００４４】
次に、ステップＳＴ７ｂで、表示部１５に例えば図２に示すようなヒストグラムおよび相対累積度数を表示する。このヒストグラムおよび相対累積度数の表示については、上記第１動作モードにおけるステップＳＴ８ａと同様にして行われてよいため、その説明は省略する。
【００４５】
その後のステップＳＴ８ｂで、図２の表示画面内の有効漏洩電流Ｉｏｒ値［ｍＡ］の目盛から、ステップＳＴ１ｂであらかじめ設定された相対累積度数Ｄである９５％に達した時点における有効漏洩電流Ｉｏｒ値Ｘ［ｍＡ］を取得する。実際には、ＣＰＵ１３はステップＳＴ６ｂで作成された度数分布データおよび相対累積度数データから上記Ｉｏｒ値Ｘを取得する。
【００４６】
そして、ステップＳＴ９ｂで、度数の変数Ｎをクリア（Ｎ＝０）したのち、ステップＳＴ１０ｂで、上記Ｉｏｒ値Ｘと、ステップＳＴ１ｂであらかじめ設定された閾値Ａ２（この例では、Ａ２＝１ｍＡ）とを対比する。
【００４７】
その結果、図２の表示例では、相対累積度数Ｄである９５％に達した時点における有効漏洩電流Ｉｏｒ値Ｘ［ｍＡ］が閾値Ａ２の１ｍＡを超えているため、ステップＳＴ１１ｂで、警報信号出力部１６に警報指示を与え、図示しない例えばブザーや表示ランプを動作させる。
【００４８】
これに対して、図５の表示例のように、有効漏洩電流Ｉｏｒが１ｍＡ以下に偏って発生しており、相対累積度数Ｄである９５％に達した時点における有効漏洩電流Ｉｏｒ値Ｘ［ｍＡ］が例えば０．９９ｍＡである場合、すなわちＸ≦Ａ２の場合には、ステップＳＴ２ｂに戻り、上記したルーチンを繰り返す。
【００４９】
このように、第２動作モードによれば、あらかじめ設定される相対累積度数Ｄおよび閾値Ａ２の値にもよるが、度数分布データ上で取得される有効漏洩電流の値Ｘが閾値Ａ２よりも小さい場合には、相対累積度数の計数に含まれるのの中に閾値Ａ２を超えるものがないとして無視し、閾値Ａ２を超える場合にのみ、絶縁劣化による有効漏洩電流があるとして警報が出されることになる。
【００５０】
なお、図４のフローチャートにおいて、例えばステップＳＴ７ｂ〜ＳＴ９ｂは、適宜入れ替えられてよい。
【図面の簡単な説明】
【００５１】
【図１】本発明に係る絶縁監視装置の構成例を示す模式図。
【図２】表示部における表示状態の一例を示す模式図。
【図３】制御手段の第１動作モードを説明するためのフローチャート。
【図４】制御手段の第２動作モードを説明するためのフローチャート。
【図５】表示部における表示状態の他の例を示す模式図。
【符号の説明】
【００５２】
１１  電圧入力部
１２  漏洩電流入力部
１１ａ，１２ａ  Ａ／Ｄ変換器
１３  ＣＰＵ（制御手段）
１４  メモリ
１５  表示部
１６  警報信号出力部
【図１】
2010048746.tif 000003
【図２】
2010048746.tif 000004
【図３】
2010048746.tif 000005
【図４】
2010048746.tif 000006
【図５】
2010048746.tif 000007